(57)【要約】      （修正有）【課題】比較的狭いスペースに設置することができ、設置作業やメンテナンス作業が容易な通信機用架台および無線基地局を提供する。【解決手段】架台本体２２が、無線用のアンテナ１２を支持するためのアンテナ支持柱２３を支持するとともに、アンテナ以外の通信機器類１３を支持可能に設けられている。架台本体２２は、互いにほぼ直角を成す２本の下部梁材と、各下部梁材を接続する下部接続梁材と、各下部梁材の接続位置の第１柱材と、各下部梁材と下部接続梁材との接続位置の２本の第２柱材と、第１柱材の上部と各第２柱材の上部とを接続する２本の上部梁材と、各第２柱材の上部を接続する上部接続梁材と、第１柱材と各第２柱材とに両端が接続された複数の横架材とを有している。アンテナ支持柱２３は、第１柱材の上端に、鉛直上方に向かって伸びるよう取り付けられている。【選択図】図１
0003192354.tif 000002
【実用新案登録請求の範囲】
【請求項１】
無線用のアンテナを支持するためのアンテナ支持柱と、
前記アンテナ支持柱を支持するとともに、無線基地局を構成する前記アンテナ以外の通信機器類を支持可能に設けられた架台本体とを、
有することを特徴とする通信機用架台。
【請求項２】
前記架台本体は、
それぞれ一端どうしを突き合わせて互いにほぼ直角を成すよう水平に配置された２本の下部梁材と、
各下部梁材の他端にそれぞれ両端が接続され、水平に配置された下部接続梁材と、
各下部梁材の前記一端に下端が接続し、鉛直方向に沿って配置された第１柱材と、
各下部梁材と前記下部接続梁材との接続位置にそれぞれ下端が接続し、鉛直方向に沿って配置された２本の第２柱材と、
前記第１柱材の上部と各第２柱材の上部とにそれぞれ両端が接続され、水平に配置された２本の上部梁材と、
各第２柱材の上部にそれぞれ両端が接続され、水平に配置された上部接続梁材と、
各下部梁材と各上部梁材との間で、前記第１柱材と各第２柱材とにそれぞれ両端が接続された複数の横架材と、
各下部梁材の中間部にそれぞれ両端が接続され、水平に配置された下部補助梁材とを有し、
前記アンテナ支持柱は、前記第１柱材の上端に上方に伸びるよう設けられていることを、
特徴とする請求項１記載の通信機用架台。
【請求項３】
各下部梁材の接続位置と各下部梁材の他端とで前記架台本体を支持する３つの基台を有することを特徴とする請求項２記載の通信機用架台。
【請求項４】
請求項１記載の通信機用架台と、
前記アンテナ支持柱に支持された無線用のアンテナと、
前記アンテナに接続され、前記架台本体に支持された前記アンテナ以外の通信機器類とを、
有することを特徴とする無線基地局。
【請求項５】
請求項２または３記載の通信機用架台と、
前記アンテナ支持柱に支持された無線用のアンテナと、
前記下部接続梁材と前記下部補助梁材とで支持された電源装置と、
前記アンテナと前記電源装置とに接続され、前記複数の横架材に取り付けられたＰＤ盤、引込開閉器盤および光接続箱を含む通信機器類とを、
有することを特徴とする無線基地局。
【考案の詳細な説明】
【技術分野】
【０００１】
本考案は、通信機用架台および無線基地局に関する。
【背景技術】
【０００２】
従来、ビルの屋上などに無線基地局を設置するための通信機用の架台として、アンテナ以外の通信機器類を収容箱に収納するもの（例えば、特許文献１参照）や、図５に示すように、フレーム状の無線機架台に通信機器類を設置するものがある。これらの通信機用の架台では、通信機器類とは別にアンテナを設置している。
【先行技術文献】
【特許文献】
【０００３】
【特許文献１】特開平７−３８９３５号公報
【考案の概要】
【考案が解決しようとする課題】
【０００４】
特許文献１や図５に記載の従来の通信機用架台では、倒れないようにアンテナを設置するためのスペースと、アンテナ以外の通信機器類を設置するためのスペースが必要であり、広い設置スペースを要するという課題があった。また、設置スペースの広さや形状により、アンテナと通信機器類の配置が異なるため、配線などの設置作業が煩雑になるという課題もあった。特に、アンテナと通信機器類とを離して設置しなければならない場合には、配線などの設置作業やメンテナンス作業に労力や時間を要するという課題もあった。
【０００５】
本考案は、このような課題に着目してなされたもので、比較的狭いスペースに設置することができ、設置作業やメンテナンス作業が容易な通信機用架台および無線基地局を提供することを目的としている。
【課題を解決するための手段】
【０００６】
上記目的を達成するために、本考案に係る通信機用架台は、無線用のアンテナを支持するためのアンテナ支持柱と、前記アンテナ支持柱を支持するとともに、無線基地局を構成する前記アンテナ以外の通信機器類を支持可能に設けられた架台本体とを、有することを特徴とする。
【０００７】
本考案に係る通信機用架台は、架台本体が、無線基地局を構成するアンテナ以外の通信機器類だけでなく、無線用のアンテナを支持するためのアンテナ支持柱も支持するため、アンテナとアンテナ以外の通信機器類とを別々に支持するものと比べ、狭いスペースに設置することができる。また、アンテナ以外の通信機器類の重量により、架台本体が安定するため、アンテナ支持柱に支持されるアンテナの安定性を高めることができる。
【０００８】
本考案に係る通信機用架台は、アンテナとアンテナ以外の通信機器類とを近くに配置することができるため、配線などの設置作業やメンテナンス作業が容易であり、保守性に優れている。また、通信品質の劣化率や、通信信号の減衰率を小さくすることもできる。アンテナとアンテナ以外の通信機器類とを常に同じ配置で設置できるため、配線などの設置作業を標準化することができ、設置作業の効率化を図ることができる。
【０００９】
本考案に係る無線基地局は、本考案に係る通信機用架台と、前記アンテナ支持柱に支持された無線用のアンテナと、前記アンテナに接続され、前記架台本体に支持された前記アンテナ以外の通信機器類とを、有することを特徴とする。
【００１０】
本考案に係る無線基地局は、本考案に係る通信機用架台により、アンテナとアンテナ以外の通信機器類とを支持するため、狭いスペースに設置することができ、アンテナ支持柱に支持されたアンテナの安定性が高い。配線などの設置作業やメンテナンス作業が容易であり、保守性に優れている。また、通信品質の劣化率や、通信信号の減衰率を小さくすることもできる。配線などの設置作業を標準化することができ、設置作業の効率化を図ることができる。
【００１１】
本考案に係る通信機用架台において、前記架台本体は、それぞれ一端どうしを突き合わせて互いにほぼ直角を成すよう水平に配置された２本の下部梁材と、各下部梁材の他端にそれぞれ両端が接続され、水平に配置された下部接続梁材と、各下部梁材の前記一端に下端が接続し、鉛直方向に沿って配置された第１柱材と、各下部梁材と前記下部接続梁材との接続位置にそれぞれ下端が接続し、鉛直方向に沿って配置された２本の第２柱材と、前記第１柱材の上部と各第２柱材の上部とにそれぞれ両端が接続され、水平に配置された２本の上部梁材と、各第２柱材の上部にそれぞれ両端が接続され、水平に配置された上部接続梁材と、各下部梁材と各上部梁材との間で、前記第１柱材と各第２柱材とにそれぞれ両端が接続された複数の横架材と、各下部梁材の中間部にそれぞれ両端が接続され、水平に配置された下部補助梁材とを有し、前記アンテナ支持柱は、前記第１柱材の上端に上方に伸びるよう設けられていることが好ましい。この場合、平面形状がほぼ直角三角形状を成しており、安定性が高いだけでなく、省スペースである。
【００１２】
また、本考案に係る通信機用架台は、各下部梁材の接続位置と各下部梁材の他端とで前記架台本体を支持する３つの基台を有することが好ましい。この場合、アンテナとアンテナ以外の通信機器類とを別々に支持するものと比べ、基台の数が少ないため、施工が容易で、施工工期を短縮することができ、材料費を低減することもできる。各基台は、ＦＲＰ製の基台から成っていてもよい。この場合、軽量化を図ることができ、より施工性を高めることができる。
【００１３】
本考案に係る無線基地局は、本考案に係る通信機用架台と、前記アンテナ支持柱に支持された無線用のアンテナと、前記下部接続梁材と前記下部補助梁材とで支持された電源装置と、前記アンテナと前記電源装置とに接続され、前記複数の横架材に取り付けられたＰＤ盤、引込開閉器盤および光接続箱を含む通信機器類とを、有することが好ましい。この場合、重量のある電源装置を、下部接続梁材と下部補助梁材とで支持することにより、安定性を高めることができる。また、通信機器類の設置が容易である。
【考案の効果】
【００１４】
本考案によれば、比較的狭いスペースに設置することができ、設置作業やメンテナンス作業が容易な通信機用架台および無線基地局を提供することができる。
【図面の簡単な説明】
【００１５】
【図１】本考案の実施の形態の通信機用架台および無線基地局を示す斜視図である。
【図２】図１に示す通信機用架台の（ａ）平面図、（ｂ）正面図、（ｃ）右側面図である。
【図３】図１に示す通信機用架台の下部梁材の変形例を示す平面図である。
【図４】図１に示す通信機用架台の、アンテナを高い位置に設置する変形例を示す斜視図である。
【図５】従来の通信機用の課題を示す平面図である。
【考案を実施するための形態】
【００１６】
以下、図面に基づき、本考案の実施の形態について説明する。
図１乃至図４は、本考案の実施の形態の通信機用架台および無線基地局を示している。
図１に示すように、無線基地局１０は、通信機用架台１１と、アンテナ１２と、アンテナ以外の通信機器類１３とを有している。
【００１７】
図１および図２に示すように、通信機用架台１１は、３つの基台２１と架台本体２２とアンテナ支持柱２３とを有している。各基台２１は、ＦＲＰ製で、ほぼ立方体形状の台部２１ａの上に、正方形状の蓋部２１ｂを載せて形成されている。各基台２１は、上面が同一水平面上になるよう、設置面に固定されている。各基台２１は、直角二等辺三角形の３つの頂点の位置に配置されている。
【００１８】
架台本体２２は、２本の下部梁材３１と下部接続梁材３２と下部補助梁材３３と第１柱材３４と２本の第２柱材３５と２本の上部梁材３６と上部接続梁材３７と複数の横架材３８とを有している。各下部梁材３１は、断面がＨ型の鋼材から成り、それぞれ一端どうしを突き合わせて互いにほぼ直角を成すよう接続されている。下部接続梁材３２は、断面がＨ型の鋼材から成り、各下部梁材３１の他端にそれぞれ両端が接続されている。各下部梁材３１および下部接続梁材３２は、直角二等辺三角形を成すよう配置されている。また、各下部梁材３１および下部接続梁材３２は、それぞれの接続位置で、各基台２１の蓋部２１ｂの上に載せて固定され、各基台２１により水平に支持されている。
【００１９】
下部補助梁材３３は、断面がＨ型の鋼材から成り、各下部梁材３１の中央部にそれぞれ両端が接続され、水平に配置されている。下部補助梁材３３は、下部接続梁材３２よりも各下部梁材３１の一端側に、下部接続梁材３２と所定の間隔をあけて、下部接続梁材３２に対して平行に設けられている。
【００２０】
第１柱材３４は、円筒状の鋼管材から成り、各下部梁材３１の突き合わされた一端に下端が接続し、鉛直方向に沿って上方に伸びるよう配置されている。各第２柱材３５は、円筒状の鋼管材から成り、各下部梁材３１と下部接続梁材３２との接続位置にそれぞれ下端が接続し、鉛直方向に沿って上方に伸びるよう配置されている。第１柱材３４および各第２柱材３５は、上端が同じ高さになるよう設けられている。
【００２１】
各上部梁材３６は、角筒状の鋼管材から成り、第１柱材３４の上端部と各第２柱材３５の上端部とにそれぞれ両端が接続され、水平に配置されている。各上部梁材３６は、互いにほぼ直角を成し、それぞれ対応する下部梁材３１に対して平行に取り付けられている。上部接続梁材３７は、角筒状の鋼管材から成り、各第２柱材３５の上端部にそれぞれ両端が接続され、各上部梁材３６と同じ高さで、水平に配置されている。上部接続梁材３７は、下部接続梁材３２に対して平行に取り付けられている。
【００２２】
各横架材３８は、細長い鋼板から成り、第１柱材３４と各第２柱材３５とにそれぞれ両端が接続されている。各横架材３８は、それぞれ対応する各下部梁材３１と各上部梁材３６との間に、６本ずつ設けられている。各横架材３８は、それぞれ対応する下部梁材３１および上部梁材３６に対して平行に設けられている。
【００２３】
アンテナ支持柱２３は、円筒状の鋼管材から成り、第１柱材３４の上端に、鉛直方向に沿って上方に伸びるよう取り付けられている。アンテナ支持柱２３は、架台本体２２により鉛直に支持されている。
【００２４】
図１に示すように、アンテナ１２は、携帯電話などの無線用のアンテナ１２から成り、アンテナ支持柱２３に取り付けられて支持されている。なお、アンテナ支持柱２３には、ＧＰＳアンテナ１４も取り付けられている。
【００２５】
図１に示すように、アンテナ以外の通信機器類１３は、電源装置１３ａ、ＰＤ盤１３ｂ、引込開閉器盤１３ｃおよび光接続箱１３ｄなどから成り、架台本体２２に取り付けられて支持されている。電源装置１３ａは、下部接続梁材３２および下部補助梁材３３の上に固定されて支持されている。ＰＤ盤１３ｂ、引込開閉器盤１３ｃおよび光接続箱１３ｄなどは、各横架材３８の下部接続梁材３２側の面に取り付けられている。なお、ＰＤ盤１３ｂ、引込開閉器盤１３ｃおよび光接続箱１３ｄなどは、各横架材３８の下部接続梁材３２とは反対の面に取り付けられていてもよい。アンテナ１２および通信機器類１３は、アンテナ１２を利用して無線通信できるよう、互いに接続されている。
【００２６】
次に、作用について説明する。
無線基地局１０は、通信機用架台１１により、アンテナ１２とアンテナ以外の通信機器類１３とを支持するため、アンテナ１２とアンテナ以外の通信機器類１３とを別々に支持するものと比べ、狭いスペースに設置することができる。また、架台本体２２の平面形状がほぼ直角二等辺三角形状を成しているため、安定性が高いだけでなく、省スペースである。このため、狭いビルの屋上などにも設置することができ、設置スペースの有効利用が可能となる。
【００２７】
無線基地局１０は、アンテナ以外の通信機器類１３の重量により、架台本体２２が安定するため、アンテナ支持柱２３に支持されるアンテナ１２の安定性を高めることができる。特に、重量のある電源装置１３ａを、下部接続梁材３２と下部補助梁材３３とで支持することにより、全体の安定性を高めることができる。
【００２８】
無線基地局１０は、アンテナ１２とアンテナ以外の通信機器類１３とを近くに配置するため、配線などの設置作業やメンテナンス作業が容易であり、保守性に優れている。また、通信品質の劣化率や、通信信号の減衰率を小さくすることもできる。アンテナ１２とアンテナ以外の通信機器類１３とを常に同じ配置で設置できるため、配線などの設置作業を標準化することができ、設置作業の効率化を図ることができる。
【００２９】
無線基地局１０は、アンテナ１２とアンテナ以外の通信機器類１３とを別々に支持するものと比べ、基台２１の数が少ないため、施工が容易で、施工工期を短縮することができ、材料費を低減することもできる。ＦＲＰ製の基台２１を利用しているため、軽量化を図ることができ、より施工性を高めることができる。
【００３０】
このように、無線基地局１０は、アンテナ１２を支持するアンテナ支持柱２３と、通信機器類１３を支持する架台本体２２とを一体型にすることにより、省スペースや配線作業の標準化など、さまざまな効果が得られる。
【００３１】
なお、図３に示すように、通信機用架台１１は、いずれか一方または両方の下部梁材３１が長く、下部接続梁材３２が長い下部梁材３１の中央部に取り付けられ、基台２１が長い下部梁材３１の他端で架台本体２２を支持していてもよい。この場合、アンテナ１２の高さや設置スペースに応じて、下部梁材３１の長さを調節することができ、安定性を高めることができる。
【００３２】
また、図４に示すように、通信機用架台１１は、円筒状の鋼管材から成り、アンテナ支持柱２３と第１柱材３４との間に設けられた支持柱延長部材４１と、支持柱延長部材４１の上端部と各第２柱材３５の上端とに両端が接続された２本の補強ブレース材４２とを有していてもよい。この場合、より高い位置に、安定した状態でアンテナ１２を設置することができる。
【符号の説明】
【００３３】
１０  無線基地局
１１  通信機用架台
２１  基台
２１ａ  台部
２１ｂ  蓋部
２２  架台本体
３１  下部梁材
３２  下部接続梁材
３３  下部補助梁材
３４  第１柱材
３５  第２柱材
３６  上部梁材
３７  上部接続梁材
３８  横架材
２３  アンテナ支持柱
１２  アンテナ
１３  通信機器類
１３ａ  電源装置
１３ｂ  ＰＤ盤
１３ｃ  引込開閉器盤
１３ｄ  光接続箱
【図２】
0003192354.tif 000003
【図３】
0003192354.tif 000004
【図５】
0003192354.tif 000005
【図１】
0003192354.tif 000006
【図４】
0003192354.tif 000007